(57)【要約】【課題】コンタクト部を確実に接触させることができ、コンタクト部の電気的な接続の安定性を向上させることができるコネクタの提供。【解決手段】相手側コネクタ４０に接触部５１を有する相手側コンタクト部５０を備え、挿入側コネクタ２０に、挿入時に接触部５１が乗り越える突起部２１と、接触部５１が嵌合する凹部２２とを備え、凹部２２の幅は、コネクタ挿入時に接触部５１が先に接触する部分では接触部の幅よりも大きく、挿入に伴って徐々に小さくなるように形成され、接触部５１が、コネクタ挿入に伴って凹部２２の斜面を徐々に移動しながら適正な位置に誘導されて凹部２２と嵌合するため、確実に二点接触を実現することができ、コンタクト表面にフラックスや異物が残っていても、嵌合時の動きでコンタクト表面を削りながら接触させることができ、安定した電気的な接続を確保することができる。【選択図】図３
2007317623.tif 000002
【特許請求の範囲】
【請求項１】
第１のコンタクト部を備える挿入側コネクタと、第２のコンタクト部を備える相手側コネクタとで構成され、前記挿入側コネクタを前記相手側コネクタに挿入することにより前記第１のコンタクト部と前記第２のコンタクト部とが接触するコネクタにおいて、
前記第２のコンタクト部には、前記第１のコンタクト部側に向かって突出する接触部を備え、
前記第１のコンタクト部には、前記挿入側コネクタの挿入に伴って、前記接触部を適正な位置に誘導し、該接触部に嵌合する嵌合部を備えることを特徴とするコネクタ。
【請求項２】
第１のコンタクト部を備える挿入側コネクタと、第２のコンタクト部を備える相手側コネクタとで構成され、前記挿入側コネクタを前記相手側コネクタに挿入することにより前記第１のコンタクト部と前記第２のコンタクト部とが接触するコネクタにおいて、
前記第２のコンタクト部には、前記第１のコンタクト部側に向かって突出する接触部を備え、
前記第１のコンタクト部には、前記挿入側コネクタの挿入に際して、前記接触部に先に接触する部分の幅が前記接触部よりも広く、前記挿入側コネクタの挿入に伴って、その幅が徐々に狭くなる領域を含むように窪んだ凹部を備えることを特徴とするコネクタ。
【請求項３】
前記凹部の開口部分は、前記接触部に先に接触する部分を底辺とする三角形であることを特徴とする請求項２記載のコネクタ。
【請求項４】
前記凹部は、前記三角形の各々の辺を通る平面が斜面となる三角錐形状であることを特徴とする請求項３記載のコネクタ。
【請求項５】
第１のコンタクト部を備える挿入側コネクタと、第２のコンタクト部を備える相手側コネクタとで構成され、前記挿入側コネクタを前記相手側コネクタに挿入することにより前記第１のコンタクト部と前記第２のコンタクト部とが接触するコネクタにおいて、
前記第２のコンタクト部には、前記第１のコンタクト部側に向かって突出する接触部を備え、
前記第１のコンタクト部には、前記挿入側コネクタの挿入に際して、前記接触部に先に接触する部分の間隔が前記接触部よりも広く、前記挿入側コネクタの挿入に伴って、その間隔が徐々に狭くなる領域を含むように対向して突出した凸部を備えることを特徴とするコネクタ。
【請求項６】
前記凸部は、ハの字形状又はＶ字形状であることを特徴とする請求項５記載のコネクタ。
【請求項７】
前記第１のコンタクト部には、前記凹部又は前記凸部よりも前記接触部に先に接触する部分に、前記第２のコンタクト部側に向かって突出する突起部を備えることを特徴とする請求項１乃至６のいずれか一に記載のコネクタ。
【発明の詳細な説明】
【技術分野】
【０００１】
本発明は、コネクタに関し、特に、コネクタに配設されるコンタクト部の嵌合構造に関する。
【背景技術】
【０００２】
一対のコネクタを嵌合させて電気的接続を得る場合、各々のコネクタに配設されるコンタクト部を確実に接触させることが重要である。そこで、通常、一方のコンタクト部を他方のコンタクト部側に突出させた接触部を設け、この接触部で他方のコンタクト部に接触させる構造が用いられる。例えば、下記特許文献１には、一方のコネクタの接片に山形に突出する接点を形成し、その接点を他方のコネクタの電極面に接触させる構造が開示されている。
【０００３】
また、コンタクト部の接触をより確実にするために、他方のコンタクト部に上記接触部に嵌合する凹部を設ける構造も用いられる。この従来のコネクタに関して、図１１乃至図１４を参照して説明する。図１１は、一対のコネクタの構造を示す斜視図であり、図１２は、挿入側コネクタの構造を示す斜視図及び平面図である。また、図１３は、コネクタの嵌合動作におけるコンタクト部の位置関係を模式的に示す平面図であり、図１４は、嵌合時における接触部の状態を模式的に示す断面図である。
【０００４】
図１１に示すように、従来のコネクタは、一方のコネクタ（挿入側コネクタ６０）と他方のコネクタ（相手側コネクタ４０）とで構成され、挿入側コネクタ６０には挿入側コンタクト部７０が形成され、相手側コネクタ４０には相手側コンタクト部５０が形成されている。この相手側コンタクト部５０の先端部近傍には、挿入側コンタクト部７０側に突出する接触部５１が形成されている。また、図１２に示すように、挿入側コンタクト部７０には、一対のコネクタの嵌合の感触を発生させるための突起部７１と、相手側コンタクト部５０の接触部５１に嵌合させるための四角形の凹部７２とが形成されている。そして、挿入側コネクタ６０を相手側コネクタ４０に挿入すると、接触部５１は突起部７１を乗り越えた後、凹部７２に嵌合して挿入側コンタクト部７０と相手側コンタクト部５０との電気的接続が確保される。
【０００５】
【特許文献１】特開２００３−１００３８９号公報（第４−５頁、第７図）
【発明の開示】
【発明が解決しようとする課題】
【０００６】
しかしながら、上述したような接触部５１と突起部７１と四角形の凹部７２とを有するコネクタでは、接触部５１が突起部７１を乗り越える際に、うまく乗り越えられずに位置がずれてしまった場合に、接触部５１が凹部７２に嵌合することができず、接触不良を起こすことがある。例えば、図１３に示すように、接触部５１が突起部７１を乗り越える際に、挿入側コンタクト部７０と相手側コンタクト部５０とが互いに横方向にずれてしまう場合があり（図１３（ａ）参照）、その状態で挿入側コンタクト部７０を更に押し込むと接触部５１が凹部７２の縁に乗り上げ（図１３（ｂ）参照）、接触部５１が凹部７２に嵌合しないまま係止してしまう（図１３（ｃ）参照）。
【０００７】
このように、従来のコネクタは、挿入側コンタクト部７０に四角形の凹部７２を形成しているため、相手側コンタクト部５０の接触部５１が挿入側コンタクト部７０の突起部７１をうまく乗り越えずに逃げてしまった場合、凹部７２との嵌合が出来なかったり（図１４（ａ）参照）、接触部５１が突起部７１をうまく乗り越えたとしても、製造上のバラツキに起因して、四角形の凹部７２の一辺にしか接触しないなど（図１４（ｂ）参照）、本来の目的である二点接触の効果を発揮出来ないという問題があった。
【０００８】
また、従来のコネクタの構造では、接触部５１の接触位置の変動が少ないため、接触部５１と凹部７２との接触面に、リフロー半田付け時に飛散するフラックスや作業時に付着する異物が残っている場合に、フラックスや異物を削り落としにくく、電気的な接続の安定性を損なう場合が生じるという問題があった。
【０００９】
本発明は上記問題点に鑑みてなされたものであって、その第１の目的は、コンタクト部を確実に接触させることができるコネクタを提供することにある。
【００１０】
また、本発明の第２の目的は、コンタクト部の電気的な接続の安定性を向上させることができるコネクタを提供することにある。
【課題を解決するための手段】
【００１１】
上記目的を達成するため、本発明は、第１のコンタクト部を備える挿入側コネクタと、第２のコンタクト部を備える相手側コネクタとで構成され、前記挿入側コネクタを前記相手側コネクタに挿入することにより前記第１のコンタクト部と前記第２のコンタクト部とが接触するコネクタにおいて、前記第２のコンタクト部には、前記第１のコンタクト部側に向かって突出する接触部を備え、前記第１のコンタクト部には、前記挿入側コネクタの挿入に伴って、前記接触部を適正な位置に誘導し、該接触部に嵌合する嵌合部を備えるものである。
【００１２】
また、本発明は、第１のコンタクト部を備える挿入側コネクタと、第２のコンタクト部を備える相手側コネクタとで構成され、前記挿入側コネクタを前記相手側コネクタに挿入することにより前記第１のコンタクト部と前記第２のコンタクト部とが接触するコネクタにおいて、前記第２のコンタクト部には、前記第１のコンタクト部側に向かって突出する接触部を備え、前記第１のコンタクト部には、前記挿入側コネクタの挿入に際して、前記接触部に先に接触する部分の幅が前記接触部よりも広く、前記挿入側コネクタの挿入に伴って、その幅が徐々に狭くなる領域を含むように窪んだ凹部を備えるものである。
【００１３】
本発明においては、前記凹部の開口部分は、前記接触部に先に接触する部分を底辺とする三角形であることが好ましく、前記凹部は、前記三角形の各々の辺を通る平面が斜面となる三角錐形状とすることができる。
【００１４】
また、本発明は、第１のコンタクト部を備える挿入側コネクタと、第２のコンタクト部を備える相手側コネクタとで構成され、前記挿入側コネクタを前記相手側コネクタに挿入することにより前記第１のコンタクト部と前記第２のコンタクト部とが接触するコネクタにおいて、前記第２のコンタクト部には、前記第１のコンタクト部側に向かって突出する接触部を備え、前記第１のコンタクト部には、前記挿入側コネクタの挿入に際して、前記接触部に先に接触する部分の間隔が前記接触部よりも広く、前記挿入側コネクタの挿入に伴って、その間隔が徐々に狭くなる領域を含むように対向して突出した凸部を備えるものである。
【００１５】
本発明においては、前記凸部は、ハの字形状又はＶ字形状とすることができる。
【００１６】
また、本発明においては、前記第１のコンタクト部には、前記凹部又は前記凸部よりも前記接触部に先に接触する部分に、前記第２のコンタクト部側に向かって突出する突起部を備える構成とすることができる。
【００１７】
このように、本発明は上記構成により、挿入側コネクタを相手側コネクタに挿入する際に、各々のコンタクト部の位置がずれた場合でも、接触部が凹部又は対向して配置される凸部に当接した後、挿入に伴って徐々に適正な位置に誘導されるため、接触部と凹部又は凸部とを確実に二点で接触させることができる。また、接触部は凹部又は凸部を擦りながら移動するため、接触面にリフロー半田付け時に飛散するフラックスや作業時に付着する異物が残っている場合でも、これらを削り取ることができ、安定した電気的な接続を確保することができる。
【発明の効果】
【００１８】
本発明のコネクタによれば下記記載の効果を奏する。
【００１９】
本発明の第１の効果は、コンタクト部を確実に接触させることができるということである。その理由は、挿入側コネクタを相手側コネクタに挿入する際に、相手側コンタクト部の接触部が突起部を乗り越える若しくは乗り越えず突起部付近を通り過ぎた後に、突起部の幅以上の幅を有する凹部（例えば、三角形の凹部）又は突起部の幅以上の間隔を有する凸部（例えば、ハの字状の凸部）に嵌り、挿入に伴って接触部が凹部又は凸部の斜面を徐々に移動しながら適正な位置に誘導されるため、接触部を凹部又は凸部と確実に二点で接触させることができるからである。
【００２０】
また、本発明の第２の効果は、コンタクト部の電気的な接続の安定性を向上させることができるということである。その理由は、接触部は、凹部又は凸部の斜面を擦りながら移動するため、接触部と凹部又は凸部との接触箇所に、リフロー半田付け時に飛散するフラックスや作業時に付着する異物が残っていても、クリーニング効果を発揮してフラックスや異物を削り取ることができるからである。
【発明を実施するための最良の形態】
【００２１】
本発明に係るコネクタは、その好ましい一実施の形態において、挿入側コネクタと相手側コネクタとで構成され、相手側コネクタには、接触部を有する相手側コンタクト部を備え、挿入側コネクタには、挿入時に接触部が乗り越える突起部と、接触部が嵌合する凹部又は対向して配置される凸部とを備え、凹部の幅又は凸部の間隔は、コネクタ挿入時に接触部が先に接触する部分では接触部の幅よりも大きく、コネクタの挿入に伴って徐々に小さくなる領域を含むように形成されているものであり、相手側コンタクト部の接触部が、突起部を乗り越える若しくは乗り越えず突起部付近を通り過ぎた後に凹部又は凸部に嵌り、コネクタ挿入に伴って凹部又は凸部の斜面を徐々に移動しながら適正な位置に自己整合的に誘導されて凹部又は凸部と嵌合するため、確実に二点接触を実現することができる。また、接触部は凹部又は凸部の斜面を擦りながら移動するため、コンタクト表面にリフロー半田付け時に飛散するフラックスや作業時に付着する異物が残っている場合でも、嵌合時の動きでコンタクト表面を削りながら接触させることができ、安定した電気的な接続を確保することができる。
【実施例１】
【００２２】
上記した本発明の一実施の形態についてさらに詳細に説明すべく、本発明の第１の実施例に係るコネクタについて、図１乃至図６を参照して説明する。図１は、本実施例に係るコネクタの構造を示す斜視図であり、図２は、挿入側コネクタの構造を示す斜視図及び平面図である。また、図３は、コネクタの嵌合動作を示す断面図であり、図４は、コネクタの嵌合動作におけるコンタクト部の位置関係を模式的に示す平面図である。また、図５は、コネクタの嵌合時における接触部の状態を模式的に示す断面図であり、図６は、凹部の形状のバリエーションを示す平面図である。
【００２３】
図１に示すように、本実施例のコネクタは、挿入側コネクタ１０と相手側コネクタ４０とで構成され、挿入側コネクタ１０には挿入側コンタクト部２０が配設され、相手側コネクタ４０には相手側コンタクト部５０が配設され、挿入側コンタクト部２０と相手側コンタクト部５０とが接触することにより、双方のコネクタの電気的な接続が確保される。また、相手側コンタクト部５０は、挿入側コンタクト部２０の押圧に対して適度に変形するように形成され、挿入側コンタクト部２０側の先端部近傍には、挿入側コンタクト部２０側に突出する接触部５１を備えている。
【００２４】
上記挿入側コネクタ１０の上下を逆転して開口部を上向きにすると図２（ａ）に示すようになり、挿入側コネクタ１０は、プラスチック材などの絶縁性部材で一体成型若しくは圧入成型された筐体となるインシュレータ部３０と、インシュレータ部３０に固定される挿入側コンタクト部２０とで構成され、挿入側コンタクト部２０には、図２（ｂ）に示すように、相手側コンタクト部５０との嵌合時に感触を得るための突起部２１と、相手側コンタクト部５０の接触部５１と嵌合する凹部２２とを備えている。この凹部２２の開口部分の形状は、図２（ｃ）に示すように、挿入側コネクタ１０を相手側コネクタ４０に挿入する際に、接触部５１に先に接触する部分を底辺とし、挿入に伴って他の２辺の間隔が徐々に狭くなる三角形（正三角形や二等辺三角形など）であり、その底辺の長さは接触部５１の幅よりも大きく設定されている。また、凹部２２には、各々の辺を含む平面を斜面（他の２辺を含む平面を斜面２３ａ、２３ｂ）とする窪み（すなわち、三角錐状の窪み）が形成されている。
【００２５】
そして、相手側コンタクト部５０の接触部５１が凹部２２の底辺を通過し、斜面２３ａ、２３ｂを擦りながら嵌ることにより、接触部５１の二点接触を安定して実現させる。また、コンタクト表面のリフロー半田付け時に飛散するフラックスや作業時に付着する異物に対し、嵌合時の動きで接触部５１がコンタクト表面を削ることにより、安定した電気的な接続を確保することができる。
【００２６】
なお、図１及び図２は例示であり、挿入側コネクタ１０や相手側コネクタ４０の外形形状、挿入側コンタクト部２０や相手側コンタクト部５０の本数、配置、挿入側コンタクト部２０の突起部２１の形状などは特に限定されない。
【００２７】
また、図２では、凹部２２の開口部分の形状を三角形としたが、本実施例の凹部２２は、接触部５１に先に接触する部分の幅が接触部５１の幅よりも大きく、挿入に伴ってその幅が徐々に狭くなる形状であればよく、例えば、図６（ａ）に示すような台形形状としてもよい。また、本発明の効果を得るためには、挿入に伴ってその幅が徐々に狭くなる領域を一部に備えていればよいことから、例えば、図６（ｂ）に示すように、三角形と矩形とを組み合わせた形状としたり、図６（ｃ）に示すような卵形の形状などとすることもできる。また、図２では窪みを三角錐状にしたが、例えば、図６（ｄ）に示すように、窪みの中央部に底面を備える形状（すわなち、三角錐の上部を取り除いた形状）としてもよいし、凹部２２の内面を略垂直にしてもよい。
【００２８】
次に、挿入側コンタクト部２０と相手側コンタクト部５０との接続の様子を図３乃至図５を参照して説明する。
【００２９】
図３（ａ）に示すように、挿入側コネクタ１０を相手側コネクタ４０に向かって近づけると、図４（ａ）に示すように、相手側コンタクト部５０の接触部５１が挿入側コンタクト部２０の突起部２１を乗り越えて、図４（ｂ）に示すように、三角形の凹部２２に嵌り込む。その際、接触部５１が突起部２１をうまく乗り越えられずにコンタクト部同士が横方向にずれる場合があるが、本実施例の凹部２２は底辺が接触部５１よりも広くなっているため、接触部５１は凹部２２に嵌りながら更に嵌合が進んでいく。
【００３０】
そして、接触部５１は凹部２２の斜面２３ａ、２３ｂに当接し、徐々に凹部２２の先端側に移動する際に、斜面２３ａ、２３ｂによって適正な位置に誘導されながら移動するため、最初は一箇所しか接触しなくても、図４（ｃ）に示すように、斜面２３ａ、２３ｂの二点で接触するようになり、図３（ｂ）に示すように、相手側コンタクト部５０の接触部５１が挿入側コンタクト部２０の凹部２２に確実に嵌合した状態となる。この状態のＸ−Ｘ断面を模式的に示すと図５のようになり、相手側コンタクト部５０の接触部５１は挿入側コンタクト部２０の凹部２２の二点で接触して嵌合する。
【００３１】
このとき、挿入側コンタクト部２０及び相手側コンタクト部５０の接触部分である凹部２２及び接触部５１にリフロー半田付け時に飛散するフラックスや作業時に付着した異物が残っていても、相手側コンタクト部５０の接触部５１は、徐々に挿入側コンタクト部２０の凹部２２の内面を擦りながら移動するため、コンタクト表面を削り取ることができ、これにより残留するフラックスや異物をクリーニングする効果を発揮して、より安定した電気的な接続を確保することができる。
【００３２】
このように、本実施例のコネクタによれば、挿入側コネクタ１０の挿入側コンタクト部２０に、接触部５１に先に接触する部分の幅が接触部５１の幅よりも大きく、挿入に伴ってその幅が徐々に狭くなる領域を含む形状の凹部２２（例えば、三角錐状の凹部２２）を設けることにより、２つの斜面２３ａ、２３ｂを利用して接触部５１を適切な位置に誘導することができ、確実にコンタクト部を接触させることができる。また、接触部５１が斜面２３ａ、２３ｂを移動する際に、残留するフラックスや異物などを削り取ることができるため、安定した電気的な接続を確保することができる。
【実施例２】
【００３３】
次に、本発明の第２の実施例に係るコネクタについて、図７乃至図１０を参照して説明する。図７は、本実施例に係る挿入側コネクタの構造を示す斜視図及び平面図であり、図８は、コネクタの嵌合動作におけるコンタクト部の位置関係を模式的に示す平面図である。また、図９は、コネクタの嵌合時における接触部の状態を示す断面図であり、図１０は、凸部の形状のバリエーションを示す平面図である。
【００３４】
前記した第１の実施例では、挿入側コンタクト部２０と相手側コンタクト部５０とを確実に接触させるために、接触部５１に対向する位置に凹部２２を設けたが、本実施例では、図７に示すように、凹部２２の代わりに、対向して配置された凸部２４を設け、凸部２４の間の領域を凹部２２と同様に機能させる。
【００３５】
この凸部２４は、図７に示すように、挿入側コネクタ１０を相手側コネクタ４０に挿入する際に、接触部５１に先に接触する部分の間隔が接触部５１の幅よりも大きく、かつ、挿入に伴ってその間隔が徐々に狭くなる領域を含む一対の線状の突起をハの字状に配置した形状である。
【００３６】
そして、相手側コンタクト部５０の接触部５１がハの字状の凸部２４の側面（所定の角度で傾斜する斜面とすることが好ましい。）に係合し、凸部２４の側面を擦りながら嵌ることにより、接触部５１の二点接触を安定して実現させる。また、コンタクト表面のリフロー半田付け時に飛散するフラックスや作業時に付着する異物に対し、嵌合時の動きで接触部５１がコンタクト表面を削ることにより、安定した電気的な接続を確保することができる。
【００３７】
なお、図７では、一対の凸部２４をハの字状としたが、本実施例の凸部２４は、接触部５１に先に接触する部分の間隔が接触部５１の幅よりも大きく、挿入に伴ってその間隔が徐々に狭くなる形状であればよく、例えば、図１０（ａ）に示すようなＶ字状としてもよい。また、本発明の効果を得るためには、挿入に伴ってその間隔が徐々に狭くなる領域を一部に備えていればよいことから、例えば、図１０（ｂ）に示すような形状とすることもできる。また、各々の凸部２４の幅は必ずしも一定である必要はなく、例えば、図１０（ｃ）に示すような形状としてもよい。
【００３８】
次に、挿入側コンタクト部２０ａと相手側コンタクト部５０との接続の様子を図８及び図９を参照して説明する。
【００３９】
本実施例の基本的な嵌合時のメカニズムは前記した第１の実施例と同様であるが、挿入側コネクタ１０を相手側コネクタ４０に向かって近づけると、図８（ａ）に示すように、相手側コンタクト部５０の接触部５１が挿入側コンタクト部２０ａの突起部２１を乗り越えて、図８（ｂ）に示すように、ハの字状の凸部２４の間に嵌り込む。その際、接触部５１が突起部２１をうまく乗り越えられずにコンタクト部同士が横方向にずれる場合があるが、本実施例の凸部２４はその間隔が接触部５１よりも広くなっているため、接触部５１は凸部２４の間に嵌りながら更に嵌合が進んでいく。
【００４０】
そして、接触部５１は凸部２４の内側の側面に当接し、徐々に凸部２４に沿って移動する際に適正な位置に誘導されるため、最初は一箇所しか接触しなくても、図８（ｃ）に示すように、凸部２４の二点で接触するようになり、相手側コンタクト部５０の接触部５１が挿入側コンタクト部２０ａの凸部２４に確実に嵌合した状態となる。この状態の接触部５１は図９のようになり、相手側コンタクト部５０の接触部５１は挿入側コンタクト部２０ａの一対の凸部２４の二点で接触して嵌合する。
【００４１】
このとき、挿入側コンタクト部２０ａ及び相手側コンタクト部５０の接触部分である凸部２４及び接触部５１にリフロー半田付け時に飛散するフラックスや作業時に付着した異物が残っていても、相手側コンタクト部５０の接触部５１は、徐々に挿入側コンタクト部２０ａの凸部２４の側面を擦りながら移動するため、コンタクト表面を削り取ることができ、これにより残留するフラックスや異物をクリーニングする効果を発揮して、より安定した電気的な接続を確保することができる。
【００４２】
このように、本実施例のコネクタによれば、挿入側コネクタ１０の挿入側コンタクト部２０ａに、接触部５１に先に接触する部分の間隔が接触部５１の幅よりも大きく、挿入に伴ってその間隔が徐々に狭くなる領域を含むハの字状などの形状の凸部２４を設けることにより、対向する凸部２４を利用して接触部５１を適切な位置に誘導することができ、確実にコンタクト部を接触させることができる。また、接触部５１が凸部２４側面を移動する際に、残留するフラックスや異物などを削り取ることができるため、安定した電気的な接続を確保することができる。
【００４３】
なお、第１の実施例では挿入側コンタクト部２０に凹部２２を設け、第２の実施例では挿入側コンタクト部２０ａに凸部２４を設けたが、本発明は上記実施例に限定されるものではなく、例えば、これらを組み合わせて、一対の凸部２４の間に凹部２２を設けるなどの変形も可能である。
【産業上の利用可能性】
【００４４】
本発明はコネクタに限らず、電気的な接続が求められる任意の端子に適用することができる。
【図面の簡単な説明】
【００４５】
【図１】本発明の第１の実施例に係るコネクタの構造を示す斜視図である。
【図２】本発明の第１の実施例に係る挿入側コネクタの構造を示す斜視図である。
【図３】発明の第１の実施例に係るコネクタの嵌合動作を示す断面図である。
【図４】発明の第１の実施例に係るコネクタの嵌合動作におけるコンタクト部の位置関係を示す平面図である。
【図５】本発明の第１の実施例に係るコネクタの嵌合時における接触部の状態を示す断面図である。
【図６】本発明の第１の実施例に係る挿入側コンタクト部の構造のバリエーションを示す平面図である。
【図７】本発明の第２の実施例に係る挿入側コネクタの構造を示す斜視図である。
【図８】発明の第２の実施例に係るコネクタの嵌合動作におけるコンタクト部の位置関係を示す平面図である。
【図９】本発明の第２の実施例に係るコネクタの嵌合時における接触部の状態を示す断面図である。
【図１０】本発明の第２の実施例に係る挿入側コンタクト部の構造のバリエーションを示す平面図である。
【図１１】従来のコネクタの構造を示す斜視図である。
【図１２】従来の挿入側コネクタの構造を示す図である。
【図１３】従来のコネクタの嵌合動作におけるコンタクト部の位置関係を示す平面図である。
【図１４】従来のコネクタの嵌合時における接触部の状態を示す断面図である。
【符号の説明】
【００４６】
１０  挿入側コネクタ
２０、２０ａ  挿入側コンタクト部
２１  突起部
２２  凹部
２３ａ、２３ｂ  斜面
２４  凸部
３０  インシュレータ部
４０  相手側コネクタ
５０  相手側コンタクト部
５１  接触部
６０  挿入側コネクタ
７０  挿入側コンタクト部
７１  突起部
７２  凹部
【図１】
2007317623.tif 000003
【図２】
2007317623.tif 000004
【図３】
2007317623.tif 000005
【図４】
2007317623.tif 000006
【図５】
2007317623.tif 000007
【図６】
2007317623.tif 000008
【図７】
2007317623.tif 000009
【図８】
2007317623.tif 000010
【図９】
2007317623.tif 000011
【図１０】
2007317623.tif 000012
【図１１】
2007317623.tif 000013
【図１２】
2007317623.tif 000014
【図１３】
2007317623.tif 000015
【図１４】
2007317623.tif 000016